(57)【要約】      （修正有）【課題】  携帯情報機器に接続可能なカメラモジュールなどの外部デバイスにおいて部品点数を増やすことなくスタックコネクタ外れ防止対策を実現する。【解決手段】  外部デバイスの動作状態を表す発光部に用いられているＬＥＤ導光部材が外部デバイスの基板上のＦＰＣ接続用スタックコネクタを押さえ込む機能も有するようにする。【選択図】  図１０
2006228021.tif 000002
【特許請求の範囲】
【請求項１】
携帯情報機器において、前記携帯情報機器は機能拡張のための外部機能拡張装置を接続可能であり、
前記外部機能拡張装置はその内部にて所定の電気処理動作を行う電気基板を有し、
前記外部機能拡張装置は前記電気基板上に実装された発光素子が発する光を外観面まで導く導光部材を有し、
前記導光部材は前記電気基板上に実装されたフレキシブル基板接続用スタックコネクタに接続されているフレキシブル基板をコネクタ挿入方向へ固持する機能をも有することを特徴とする携帯情報機器。
【請求項２】
前記外部機能拡張装置はカメラモジュールであることを特徴とする請求項１に記載の携帯情報機器。
【発明の詳細な説明】
【技術分野】
【０００１】
本発明は、携帯情報機器に接続可能な外部機能拡張装置の動作状態を表す発光部の導光部材の形状に関する。
【背景技術】
【０００２】
近年、携帯情報機器においてはさまざまな使用者のニーズに答えるために、携帯情報機器本体は必要最小限の機能のみを搭載することで小型化を図り、別途接続可能な外部機能拡張装置（以下、外部デバイスと呼ぶ）を設定するものが多く見られるようになった。これらの外部デバイスは複雑な情報処理をこなせるものも多く、処理中の各種動作状態を表すための発光部を設けたものも見られるようになった。多くのものは発光部が発光している時は動作中であることを示し、それにより外部デバイスを携帯情報機器本体から外さないよう警告の意味をもたせたり、また外部デバイスがカメラモジュールである場合等は、撮影動作中に点灯することでビデオカメラと同様のタリーランプとして被写体の人物に対して撮影中であることを示すといった使い方も考案されている。
【０００３】
また、外部デバイスに対してもデザイン性、小型化を求める声も多く聞かれ、且つ複雑な情報処理を実現する為にも外部デバイス内部の電気部品をある程度の大きさのユニットに分け、それらを適所に配置することで設計の自由度をあげる工夫もなされてきた。
【０００４】
又、別の従来例としては、特許文献１及び特許文献２をあげることが出来る。
【特許文献１】特開平05-123301号公報
【特許文献２】特開2002-111830号公報
【発明の開示】
【発明が解決しようとする課題】
【０００５】
配置された各電気部品を相互に接続するためには、フレキシブル基板やケーブル類に様々なタイプのコネクタがついた物が一般的に用いられる。コネクタの中でも電気基板の面に対して垂直方向にコネクタを差し込むスタックコネクタと呼ばれるものは電気基板上の少ない面積を有効に活用できるタイプのものであるが、一方でコネクタが外れないようなロック機構を設けることが困難であり、別途コネクタ抜け防止の対策が必要となるものが多い。その為、従来はコネクタ抜け防止の為の専用部品を設ける必要があった。
【課題を解決するための手段】
【０００６】
上記目的を達成するため、本出願に係わる第１の発明は、携帯情報機器（図３の携帯情報機器３０１）において、前記携帯情報機器は機能拡張のための外部機能拡張装置（図３のカメラモジュール３２４）を接続可能であり、前記外部機能拡張装置はその内部にて所定の電気処理動作を行う電気基板（図５のカメラ基板５１２）を有し、前記外部機能拡張装置は前記電気基板上に実装された発光素子（図５のカメラＬＥＤランプ５１３）が発する光を外観面まで導く導光部材（図５のカメラＬＥＤ導光板５１４）を有し、前記導光部材は前記電気基板上に実装されたフレキシブル基板接続用スタックコネクタ（図５のスタックコネクタ５１０、５１１）に接続されているフレキシブル基板（図５のＦＰＣ５０８、５０９）をコネクタ挿入方向へ固持する機能をも有するものである。
【０００７】
本出願に係わる第２の発明は、前記外部機能拡張装置はカメラモジュールであるものである。
【発明の効果】
【０００８】
以上説明したように、本発明によれば携帯情報機器に接続可能な外部デバイスにおいて外部デバイスの動作状態を表す発光部に用いられているＬＥＤ導光部材が外部デバイスの基板上のＦＰＣ接続用スタックコネクタを押さえ込む機能も有することで、部品点数を増やすことなくスタックコネクタ外れ防止対策が実現できる。
【発明を実施するための最良の形態】
【０００９】
（第１実施例）
図１は、本発明の携帯情報機器の概略構成を示すブロック図であり、図２はクレイドルの概略構成を示すブロック図であり、図３は携帯情報機器、及び外部デバイスであるカメラモジュールの外観構成を示す図であり、図４はカメラモジュールの概略構成を示すブロック図であり、図５はカメラモジュールの内部構成図であり、図６はロック機構のロック状態での概略図であり、図７はロック機構のロック解除状態での概略図であり、図８はカメラモジュールを挿入する時の携帯情報機器の処理ルーチンを示す図であり、図９はカメラモジュールを抜去する時の携帯情報機器の処理ルーチンを示す図である。
【００１０】
図１において、１０１はＣＰＵであり、本携帯情報機器の動作はこのＣＰＵ１０１により制御される。ＣＰＵ１０１には、制御プログラムを記憶しているＲＯＭ１０２、ＲＡＭ１０３、ユーザーデータを格納するための格納手段１０４、各種データのデコードなどを行うためのデータ処理手段１０５、クレイドルと接続するためのクレイドルインタフェース部１０６、外部デバイスインターフェース部１０７、ＬＣＤコントロール部１０８、タッチパネルの制御、検出を行うタッチパネルコントロール部１１１、音声の録音再生のためのＡＤ／ＤＡ変換部１１８、及び電源の検出、制御を行う電源検出コントロール部１１４、その他の操作に使われるキースイッチ群１１７がそれぞれ接続されている。
【００１１】
そして、ＬＣＤコントロール部１０８には表示駆動部１０９、さらに表示部（ＴＦＴカラー液晶）１１０が接続されている。また、タッチパネルコントロール部１１１には、表示部１１０上に設置されたタッチパネル１１２が接続され、タッチパネル１１２への入力の検出を行う。
【００１２】
電源検出コントロール部１１４には、電池１１５、またはクレイドルが接続されている場合にはクレイドルより電源が供給される。また、供給された電圧はＤＣ／ＤＣコンバータ１１３を介して、各回路が必要とする複数の電圧に変換され、各回路に供給される。
【００１３】
ＡＤ／ＤＡ変換部１１８には、マイク１１９、スピーカ１２０がそれぞれ接続され、音声データの録音再生機能に使われる。
【００１４】
ＣＰＵ１０１はＲＯＭ１０２内の制御プログラムに基づいて各種制御を行う。これらの制御の中には、例えば外部デバイスがカメラモジュールの場合、カメラモジュールから出力された撮影画像信号を読み込み、ＲＡＭ１０３へＤＭＡ転送を行う処理、同様にＲＡＭ１０３よりＬＣＤコントロール部１０８へデータをＤＭＡ転送する処理、また、撮影画像データをデータ処理手段１０５へ転送しＪＰＥＧ、ＭＰＥＧなどの圧縮伸長を行う処理、各種データをファイル形式でデータ格納手段１０４へ格納する処理、クレイドル検出時の処理、外部デバイス検出時の処理、電池の充放電などの電源検出コントロール部１１４への指示、更にタッチパネル１１２、キースイッチ群１１７から入力された情報に従った各種アプリケーションの実行などの処理が含まれる。
【００１５】
ＲＡＭ１０３は画像展開エリア１０３ａ、アプリケーションなどのワークエリア１０３ｂ、ＶＲＡＭ１０３ｃ、一時退避エリア１０３ｄなどを備えている。画像展開エリア１０３ａには、外部デバイスインターフェース部１０７より送られてきた撮影画像（ＹＵＶデジタル信号）やデータ格納手段１０４から読み出された画像データを一時的に格納するためのテンポラリバッファとして、また、画像圧縮処理、解凍処理のための画像専用ワークエリアとして使用される。ワークエリア１０３ｂは、各種プログラムのためのワークエリアである。ＶＲＡＭ１０３ｃは表示部１１０へ表示する表示データを格納するＶＲＡＭとして使用される。また、一時退避エリア１０３ｄは各種データを一時退避させるためのエリアである。
【００１６】
データ格納手段１０４は、ＪＰＥＧ、ＭＰＥＧ圧縮された撮影画像データ、音声データ及びアプリケーションより参照される各種付属データ等をファイル形式で格納しておくためのメモリであり、本発明ではフラッシュメモリで構成される。データ処理手段１０５は、ＤＭＡにより転送されたデータに対してＪＰＥＧ、ＭＰＥＧの圧縮、または、伸長処理等の各種データ処理を行う。
【００１７】
タッチパネルコントロール部１１１は、タッチパネル１１２の駆動制御とペンタッチにより入力された各種情報をデジタル信号へ変換してＣＰＵ１０１へ転送するための制御を行う。
【００１８】
ＬＣＤコントロール部１０８は、例えば外部デバイスがカメラモジュールであった場合、カメラモジュールから転送されたＹＵＶデジタル画像データ、あるいはデータ格納手段中の画像ファイルに対してデコード処理を行ったＹＵＶデジタル画像データを受け取り、ＲＧＢデジタル信号へ変換したあと表示駆動部１０９へ出力する処理を行う。表示駆動部１０９は表示部１１０を駆動するための制御を行う。また、液晶表示装置からなる表示部１１０は画像を表示するための表示器である。
【００１９】
電源検出コントロール部１１４は、クレイドルからの電源供給や電池電圧低下を検出するとＣＰＵ１０１へ通知し、また、ＣＰＵ１０１の指示により電池１１５の充電の制御や、ＤＣ／ＤＣコンバータが供給する複数の電圧の供給停止や供給開始の制御を行う。
【００２０】
図２は、クレイドルの概略構成を示すブロック図である。図２において、２０１はクレイドルＣＰＵであり、クレイドルの動作は、このクレイドルＣＰＵ２０１により制御される。クレイドルＣＰＵ２０１には、制御プログラムを記憶しているＲＯＭ２０２、主にデータ転送時のバッファとして使われるＲＡＭ２０３、及び、携帯情報機器と接続するための携帯情報機器インターフェース部２０４とその内部に携帯情報機器に電源を供給するための電源配給部２０４ａ、及びパーソナルコンピュータ（以下、ＰＣと呼ぶ）と接続するためのＰＣインタフェース部２０５が接続されている。
【００２１】
図３、図１０は、第１実施例の携帯情報機器３０１の外観図である。表示ユニット３０３は表示部１１０の上面に、タッチパネル１１２が配置された形となっており、また表示ユニット３０３の周辺にはダイレクト機能キー３０５、３０６、十字キー３１３、決定キー３１４、ズームキー３１５のキースイッチ群（図１の１１７）が配置されている。ダイレクト機能キー３０５、３０６はあらかじめある機能を設定しておくことで、そのキーを押せば携帯情報機器３０１がどのような操作を行っている場合でも、即座に設定された機能を実行するキーであり、十字キー３１３は画面操作での各種コマンド選択、決定キーは選択された各種コマンドの実行などを主に行う。ズームキー３１５は例えば地図などの情報が表示ユニット３０３に表示されている時に、地図の表示倍率を拡大／縮小する機能をもつ。また地図の上下左右方向のスクロールには十字キー３１３を用いる。
【００２２】
携帯情報機器３０１は音楽／音声録画、再生機能があり、動画の録画や音声の録音にはマイク穴３１６を通してマイクユニット（図１の１１９、図示せず）に入力された音信号がＡＤ／ＤＡ変換部１１８を介してＣＰＵ１０１に入力され、所定の処理を行う。音楽／音声の再生にはＣＰＵ１０１で処理された音の出力信号がＡＤ／ＤＡ変換部１１８を介してスピーカーユニット（図１の１２０、図示せず）からスピーカー穴３１７を通して音の出力を行う。
【００２３】
スタイラス３０２は、操作者がタッチパネル１１２を押圧することでメニュー選択などの操作を行う入力ペンであり、使用しない時は図３の矢印の方向からスタイラス穴３０４の内部へ収納される。
【００２４】
携帯情報機器３０１の上面位置にはレリーズボタン３０８が配置されている。後述のカメラモジュール３２４を装着した際にはこのレリーズボタン３０８を押下することで所望の画像を撮影可能となる。レリーズボタン３０８は２段階のクリック感を有するスイッチになっており、１段目のクリック時にオートフォーカス及び露出決定をし、２段目のクリック時に画像取り込み動作を行うものである。このレリーズボタン３０８は、携帯情報機器３０１の上面に位置していることにより、携帯情報機器を右手で保持した際に比較的自由度の高い人差し指にて押下可能な位置にあるため、手ぶれ等が起きにくい良好な撮影操作が可能となる。
【００２５】
データの格納手段（図１の１０４）としては携帯機器本体内部のフラッシュメモリ（図示せず）に加え、複数の外部フラッシュメモリが使用可能であり、本実施例ではＳＤカード３１８、及びＣＦカード３１９が携帯情報機器３０１の上面から挿抜可能な構成になっている。またＳＤカード３１８、ＣＦカード３１９と形状が類似している拡張機器を携帯情報機器３０１に挿入することで、より多くの機能が使用可能となる。例としてはＰＨＳ／携帯電話、無線／有線ＬＡＮ、ブルートゥース、ＧＰＳ、レンズモジュール等である。これら拡張機器を上面側に挿入する構成をもっているため、視認性が良いので、携帯情報機器の使用時にどのような拡張機器が挿入されているかが見やすく、挿抜もやりやすい利点がある。
【００２６】
携帯情報機器３０１の電源を入れるには電源ボタン３２１をしばらく押下する。しばらく押下しないと電源が入らない仕様であるため、使用者がバッグ等に携帯情報機器３０１を入れて持ち運ぶ時でも不用意に電源が入らないようになっている。携帯情報機器３０１が動作状態にある時は、ＬＥＤランプ３２０が緑色などに点灯し動作状態であることが使用者に伝わるので、電源の切り忘れを防止できる。また、ＳＤカード３１８やＣＦカード３１９、及び外部デバイスとデータ通信をしている最中にはＬＥＤランプ３２０は通常動作状態とは異なる色（赤など）で点滅し、データ通信中にこれらが抜去されないよう警告を促す仕様となっている。
【００２７】
外部デバイス接続コネクタ３２２は、後述するカメラモジュール３２４等の外部デバイスを挿入する外部デバイスインターフェース部（図１の１０７）である。
【００２８】
図１０の端子３１２は、携帯情報機器３０１とクレイドルを接続するための接続端子（図１の１０６）であり、この端子によってクレイドルから携帯情報機器３０１への電源供給も行われる。
【００２９】
また、電池蓋３２３を開けることで電池が挿抜可能であり、外出先などで充電手段がない状態においても予備の電池との交換が可能なので携帯情報機器３０１の動作時間の延長が可能となる。
【００３０】
次に外部デバイスの一例としてカメラモジュールが使用される場合について説明する。
【００３１】
図３に示すカメラモジュール３２４は矢印のように外部デバイス接続コネクタ３２２に挿入される。挿入後は図１０のようになり、回転部３２６はヒンジ部３２５を中心に回転可能な機構をもつ。通常の撮影をしたい時は回転部３２６を矢印Ａの方へ回転させ、対物レンズ３２７を被写体側へ向けることで表示ユニット３０３に表示されるファインダー画像を見ながら構図を決め、レリーズボタン３０８を押下することで所望の画像を記録できる。また、撮影者が自分自身を撮りたい時は回転部３２６を矢印Ｂの方へ回転させ、表示ユニット３０３に表示される自分自身のファインダー画像を見ながら構図を決めた上で撮影が可能となる。
【００３２】
図４に示すカメラモジュールは、カメラＣＰＵ４０１、鏡筒駆動部４０２、タイミングジェネレータ４０３（ＴＧ）、ＣＣＤ４０４（光電変換素子）、Ａ／Ｄ変換回路４０５、画像処理用ＤＳＰ４０６、携帯情報機器インターフェース部４０７、鏡筒部４０８などから構成される。携帯情報機器側のＣＰＵ１０１からの信号により、携帯情報機器インターフェース部４０７を通して、カメラＣＰＵ４０１は鏡筒駆動部４０２の制御、画像信号のＪＰＥＧ、ＭＰＥＧ圧縮/伸長、画像データの転送やオートフォーカス、露出補正、ホワイトバランスの調整などの動作を行う。ここで、カメラＣＰＵ４０１に送られる画像信号は鏡筒部４０８のレンズ群（図示せず）を通してＣＣＤ４０４に入力された光がＣＣＤ４０４により電気信号に変換されたものである。
【００３３】
図５にカメラモジュールの内部構成を示す。前述の回転部３２６は鏡筒カバー５０１、５０２に内包される形で鏡筒ユニット５０３（図４の４０８）が鏡筒フレーム５０４に保持されている。鏡筒フレーム５０４には回転検出スイッチ５０５が固定されており、回転部３２６が図１０の矢印Ｂ方向に回転する時に回転検出スイッチ５０５はヒンジユニット５０６に押されてＯＮ状態になり、その信号を受けて画像処理ＩＣ５０７（図４の４０１と４０６を１チップ化したもの）はＣＣＤ４０４から送られてくる信号を上下反転させ、表示ユニット３０３に出力する信号と被写体（この場合は撮影者本人など）の上下方向を一致させる。
【００３４】
鏡筒ユニット５０３の制御信号をカメラ基板５１２へ伝達するフレキシブル基板（以下、ＦＰＣと呼ぶ）５０８とＣＣＤ４０４からの画像信号を伝達するＦＰＣ５０９は共にヒンジユニット５０６を通りスタックコネクタ５１０、５１１に接続される。また、被写体（人物）を撮影する際には、被写体の人物に対して撮影中であることを示すため、カメラ基板５１２上にあるカメラＬＥＤランプ５１３が点灯し、カメラＬＥＤ導光板５１４を通して撮影中であることを知らせる。撮影者はカメラモジュールを上面側から見る形で保持することが比較的多いので、撮影者にも撮影中であることが見やすいようにカメラＬＥＤ導光板５１４は被写体側及び上面側にも光を導く形状をしている。カメラＬＥＤ導光板５１４はカメラ基板カバー５１５の穴部５１５ａに勘合しカメラ基板カバー５１５に固定されるのだが、カメラモジュール全体を組み込んだ時に、スタックコネクタ５１０、５１１に接続されているＦＰＣ５０８、５０９をコネクタ挿入方向に押え込む形状をしており、ＦＰＣ５０８、５０９がスタックコネクタ５１０、５１１から外れることを防止する機能も果たしている。図１０に示す通り、回転部３２６が回転すると回転部３２６の内部にある鏡筒ユニット５０３及びＣＣＤ４０４と接続されているＦＰＣ５０８、５０９も回転動作につられて若干捩れるので、スタックコネクタ５１０、５１１から外れやすい構成であるのだが、カメラＬＥＤ導光板５１４に押さえられることで、カメラ基板カバー５１５等で押さえる必要がなくなり、カメラ基板カバー５１５の設計及びデザインの自由度が上がる。
【００３５】
カメラ基板５１２を固定するカメラ基板フレーム５１６には携帯情報機器内部に挿入されるカメラモジュールソケット５１７が組み込まれている。カメラモジュールソケット５１７にはＦＰＣ５１８が接続されており、ＦＰＣ５１８がカメラ基板５１２上のＦＰＣコネクタ５１９に接続されていることでカメラ基板５１２と携帯情報機器との接続が可能となる。また、カメラ基板プレート５２０はカメラ基板フレーム５１６に組まれ外装カバーの役割を果たし、ヒンジユニット５０６がカメラ基板フレーム５１６のヒンジ固定部５１６ａに勘合固定されることで図１０の回転部３２６はカメラ基板フレーム５１６に対して回転可能な状態になる。
【００３６】
次にカメラモジュールを携帯情報機器に固定するロック手段に関して説明する。
【００３７】
図５に示すロック解除ボタン５２１を押すとカメラ基板５１２上の検出スイッチ５２２がＯＮ状態になり、カメラモジュールが携帯情報機器から外される前にカメラ基板５１２と携帯情報機器との通信を終了する。これにより通信中に不意にカメラモジュールが外され携帯情報機器との通信が遮断されることによるデータの破壊やカメラモジュール、携帯情報機器自体の破壊を防ぐことができる。
【００３８】
図６、図７にロック機構の概略図を示す。通常の使用状態では図１１に示すようにロック爪６０１、６０２はバネ６０５、６０６により携帯情報機器の壁面６０４内部に突出している状態にあり、カメラモジュールは携帯情報機器から外せない状態になっている。図６の矢印方向にロック解除ボタン５２１を押し込むと、ロック解除プレート６０３も矢印方向へ押され、ロック解除プレートのテーパ面６０３ａ及びロック爪６０１のテーパ面（図示せず）により図７、１３に示すようにロック爪６０１は壁面６０４に当たらない位置まで退避する。これと同時に図１４に示すようにロック解除ボタン５２１が押し込まれることでロック解除ボタン５２１のテーパ面５２１ａが検出スイッチ５２２を押し、検出スイッチ５２２をＯＮ状態とすることができる。カメラモジュールを携帯情報機器に挿入する際にもロック爪６０１のテーパ面６０１ａが壁面６０４に当たることにより退避し、それに連動してロック解除ボタン５２１も図１４の状態になり、検出スイッチ５２２を押す構造になっている。さらに挿入するとロック爪６０１はバネ６０５により図１１のように壁面６０４内部に突出しロックがかかり通常の使用状態となる。この状態では図１２に示すようにロック解除ボタン５２１のテーパ面５２１ａは検出スイッチ５２２からは離れているので検出スイッチ５２２はＯＦＦ状態となる。
【００３９】
ロック爪６０２に関しては携帯情報機器の壁面６０４に対して一定の角度をもつテーパ面６０２ａを有し、ロック爪６０１が壁面６０４から退避した状態でカメラモジュールを外す方向で力が加われば、テーパ面６０２ａにより図１３に示す状態に退避しカメラモジュールを外せるようになる。
【００４０】
図８にカメラモジュール挿入時の携帯情報機器の処理ルーチンを示す。携帯情報機器の電源が入っている時にカメラモジュールが携帯情報機器に挿入されると、まずステップＳ８０１で外部デバイス接続コネクタ３２２に外部デバイスが接続されたことを検出する外部デバイス検出を行う。
【００４１】
次にステップＳ８０２にて外部デバイス名がカメラモジュールであるかを聞く。カメラモジュールでないときはステップＳ８０３にて引き続き外部デバイス名の質問ルーチンを続け、外部デバイス名が判明したらステップＳ８０４にて各種それぞれのデバイスによる所定の動作を行う。ステップＳ８０２、Ｓ８０３にて外部デバイスの名前を確認する段階で、本実施例のカメラモジュールのようなロック機構を設けているかどうかの判別等も行い、データや機器の破壊の恐れがないためロック機構を備えていない外部デバイス等においては以下のロック機構に関連したルーチンは行わず、すぐ携帯情報機器と通信可能な状態に移行するなど、それぞれの外部デバイスに最適化された処理が可能となる。
【００４２】
ステップＳ８０２にて外部デバイス名がカメラモジュールであると判断された場合はステップＳ８０５へ移行し、カメラモジュール側の検出スイッチ５２２がＯＮ状態であるかを検出し、ＯＮでなければステップＳ８０１に戻り再度外部デバイスが接続されているかの検出を行う。ＯＮである時はカメラモジュールのロック爪６０１が退避していることを意味するので、その後検出スイッチ５２２がＯＦＦになるかどうかをステップＳ８０６にて確認する。ＯＦＦが確認されない時はまだカメラモジュールが完全に携帯情報機器にロックされていないことを意味し、カメラモジュールが携帯情報機器から抜去されてしまう可能性もあるので、ステップＳ８０５に戻り、繰り返し検出スイッチ５２２がまだＯＮであるかを確認する。尚、カメラモジュール挿入時に検出スイッチ５２２がＯＮになるタイミングはステップＳ８０１で監視しているカメラモジュールソケット５１７と携帯情報機器側の外部デバイス接続コネクタ３２２との接続が完了してからとなる。よって携帯情報機器側はまずステップＳ８０１で外部デバイス接続コネクタ３２２にカメラモジュールが接続されたかどうかを検出し、その後ステップＳ８０５にてカメラモジュールの検出スイッチ５２２がＯＮであるかどうかの検出を行う順番となっている。
【００４３】
ステップＳ８０６にて検出スイッチ５２２のＯＦＦが確認されるとステップＳ８０７へ進み携帯情報機器でのカメラモード自動起動設定がＯＮであるかを聞く。ＯＮである場合はステップＳ８０９にいきカメラモードを起動する。ＯＮでない場合はステップＳ８０８へ行きカメラモジュールが挿入された時点での動作を続行するが、表示ユニット３０３にカメラモジュールが接続された旨を表示したり、スピーカーからの発音、ＬＥＤランプ３２０の点滅などによりカメラモジュールが確実に接続されたことだけは使用者に伝える。尚、ステップＳ８０５の検出スイッチ５２２がＯＮ状態になるまで挿入したカメラモジュールをロックがかかる前に抜いてしまうことも考えられ、その場合もステップＳ８０６にて検出スイッチ５２２がＯＦＦになるのだが、検出スイッチ５２２がＯＦＦになった状態からわずかにカメラモジュールを抜く方向に移動させれば、ステップＳ８０１で監視しているカメラモジュールソケット５１７と携帯情報機器側の外部デバイス接続コネクタ３２２との接続が切れてしまうので、そのような不安定な状態において携帯情報機器とカメラモジュールとのデータ通信が行われる可能性は極めて少ないと言える。
【００４４】
ステップＳ８１０ではカメラモード終了命令が出ているかを確認し、終了命令がないうちはステップＳ８０９にてカメラモードを続行し、終了命令が出されるとステップＳ８１１に移行しカメラモードを終了する。
【００４５】
図９にカメラモジュール抜去時の携帯情報機器の処理ルーチンを示す。ステップＳ９０１で通常動作している状態においては、常にステップＳ９０２でカメラモジュール側の検出スイッチ５２２がＯＮであるかを検出している。検出スイッチ５２２がＯＮでない時はステップＳ９０１にて引き続き通常動作を続けるが、ロック解除ボタン５２１が押されて検出スイッチ５２２がＯＮ状態になった時はステップＳ９０３に移行し外部デバイスインターフェース部が通信中であるかを判定する。
【００４６】
通信中である時はステップＳ９０４へ行きカメラモジュールと携帯情報機器との間の全ての通信の終了処理を行いステップＳ９０５へ移行する。尚、ステップＳ９０４での通信終了処理時には、例えば表示ユニット３０３にカメラモジュールとの通信を終了する旨の表示を行ったり、スピーカーから終了を意味する音を発したり、ＬＥＤランプ３２０を点滅させるなどして通信終了を使用者に伝える。携帯情報機器は外部デバイスを挿入する際に外部デバイス名が何であるかの検出（図８のステップＳ８０２）を行い、現在接続されている外部デバイスの名前を所得しているので、例えば外部デバイスがカメラモジュールであった時は表示ユニット３０３に「カメラモジュールとの通信を切断します」といったように、各外部デバイスに合わせた表示が可能となる。
【００４７】
ステップＳ９０３にて外部デバイスインターフェース部が通信中でない場合は直接ステップＳ９０５へ行き外部デバイスインターフェースでの全ての通信を拒否する状態を維持し、いつでもカメラモジュールの抜去が可能な状態としておく。
【００４８】
その後ステップＳ９０６で再びカメラモジュール側の検出スイッチがＯＮであるかを検出する。ここでＯＮでない場合は一度ロック解除ボタン５２１を押したものの、その後ロック解除ボタン５２１を放したことになるので、カメラモジュールの抜去は行わないものと判断し、ステップＳ９０１の最初の通常動作状態に戻る。ステップＳ９０６で引き続き検出スイッチがＯＮであると判断された場合はステップＳ９０７へ進み、外部デバイスインターフェース部で外部デバイスが認識不能であるかを検出し、認識不能でなければ引き続きステップＳ９０５へ戻り外部デバイスとの通信拒否状態を維持する。認識不能であれば、カメラヘッドが完全に抜去されたと判断し、ステップＳ９０８にてカメラモジュール抜去処理を終了する。尚、これらの処理は使用者がロック解除ボタン５２１を押して実際にカメラモジュールを抜去するまでの短い時間内に全て完了するものとする。
【図面の簡単な説明】
【００４９】
【図１】第１実施例の携帯情報機器の概略構成を示すブロック図である。
【図２】第１実施例のクレイドルの概略構成を示すブロック図である。
【図３】第１実施例の携帯情報機器及びカメラモジュールの外観構成を示す図である。
【図４】第１実施例のカメラモジュールの概略構成を示すブロック図である。
【図５】第１実施例のカメラモジュールの内部構成図である。
【図６】第１実施例のロック機構のロック状態での概略図である。
【図７】第１実施例のロック機構のロック解除状態での概略図である。
【図８】第１実施例におけるカメラモジュールを挿入する時の携帯情報機器の処理ルーチンを示す図である。
【図９】第１実施例におけるカメラモジュールを抜去する時の携帯情報機器の処理ルーチンを示す図である。
【図１０】第１実施例の携帯情報機器及びカメラモジュールの外観構成を示す図である。
【図１１】第１実施例のロック機構のロック状態での概略図である。
【図１２】第１実施例のロック機構のロック状態での概略図である。
【図１３】第１実施例のロック機構のロック解除状態での概略図である。
【図１４】第１実施例のロック機構のロック解除状態での概略図である。
【符号の説明】
【００５０】
３０１  携帯情報機器
３２４  カメラモジュール
５０８  ＦＰＣ
５０９  ＦＰＣ
５１０  スタックコネクタ
５１１  スタックコネクタ
５１２  カメラ基板
５１３  カメラＬＥＤランプ
５１４  カメラＬＥＤ導光板
５１５  カメラ基板カバー
【図１】
2006228021.tif 000003
【図２】
2006228021.tif 000004
【図３】
2006228021.tif 000005
【図４】
2006228021.tif 000006
【図５】
2006228021.tif 000007
【図６】
2006228021.tif 000008
【図７】
2006228021.tif 000009
【図８】
2006228021.tif 000010
【図９】
2006228021.tif 000011
【図１０】
2006228021.tif 000012
【図１１】
2006228021.tif 000013
【図１２】
2006228021.tif 000014
【図１３】
2006228021.tif 000015
【図１４】
2006228021.tif 000016